(57)【要約】      （修正有）【課題】顧客の興趣を喚起して視覚的効果の向上を図り、商品購買の意欲を惹起する商品陳列装置を提供する。【解決手段】起立して支持可能な第１回転体支持部２０に回転軸線を中心に回転自在に設けられた回転体と、回転体の間に、回転軸線に対して略平行に架設される複数の軸体４３と、軸体４３に揺動自在に係合して吊下されるゴンドラ５０とを備えるとともに、回転体は外縁から外方に向かって複数の突起部４５が放射状に延在する星型に形成されている。従って、回転体の回転に追従するゴンドラ５０の移動によって、顧客に観覧車を想起させる視覚的効果を生じさせるので、顧客の興趣が喚起されて視覚的効果の向上が図られ、商品購買の意欲が惹起される。【選択図】図１
0003150872.tif 000002
【実用新案登録請求の範囲】
【請求項１】
起立して支持可能な支持体に同軸上で回転自在に所定間隔隔てて設けられた一対の回転板と、
該一対の回転板の間に、回転軸に対して略平行に架設される複数の軸体と、
該軸体に揺動自在に係合して吊下される商品収容ケースと、
を備えることを特徴とする商品陳列装置。
【請求項２】
前記一対の回転板は、
中央部から外方に向かって複数の突起部が放射状に延在する星型に形成され、
前記軸体は、
前記一対の回転板の前記突起部の頂点の間に架設され、
前記商品収容ケースが前記複数の突起部に放射状に配置されたことを特徴とする請求項１に記載の商品陳列装置。
【請求項３】
前記回転体は、
モータの駆動で回転されることを特徴とする請求項１または２に記載の商品陳列装置。
【請求項４】
障害物を感知して前記モータによる回転駆動を停止させる障害物感知センサを備えることを特徴とする請求項３に記載の商品陳列装置。
【考案の詳細な説明】
【技術分野】
【０００１】
本考案は、商品陳列装置、特に、小売店舗において商品を陳列する商品陳列装置に関する。
【背景技術】
【０００２】
小売店で販売される小型商品や各種小物、例えば、小分け販売される菓子類は、小規模小売店舗であるコンビニエンスストアにおいては、会計カウンタの台上で、台の端側に配置されて販売されている状況が散見される。また、百貨店の服飾小物売り場や服飾小物専門店において、服飾アクセサリ等の服飾小物は、ショーケースの上や会計カウンタの上に配置されて販売されている例が見受けられる。このような場所に配置されて販売される商品を陳列する陳列装置の中には、顧客の関心を集めたり、興趣を喚起したりする工夫がなされたものが、種々提案されている。
【０００３】
例えば、特許文献１として、服飾アクセサリを陳列する商品陳列装置が開示されている。この特許文献１に開示される商品陳列装置は、平面視で、略長方形に形成された台座及びこの台座の両端から立設された一対の支持部材、支持部材に軸支された回転軸及びこの回転軸の両端に一対の環状の回転板が嵌合されるとともに一対の回転板の間に複数の横棒が架設された回転体を備えている。この複数の横棒の各横棒の延在方向に、アクセサリが保持された複数の台紙が係合配置される。顧客は回転体を回転させてアクセサリを見るので、多くのアクセサリを同じ場所で効率よく見ることができるので、商品選択への興趣がある程度喚起される。
【先行技術文献】
【特許文献】
【０００４】
【特許文献１】特開２００７−２１５５９２号公報
【考案の概要】
【考案が解決しようとする課題】
【０００５】
上記特許文献１に記載された商品陳列装置によると、回転体を回転させながら商品を見て選択することができる構成により、顧客の商品選択の効率化はある程度実現されているものの、商品陳列装置それ自体の外観による購買意欲の惹起については配慮されていない。従って、商品購買意欲を惹起する視覚的効果の発揮に限界が生じることが懸念される。特に、顧客の視覚に触れやすい会計カウンタ等に配置されていれば、ある程度の視覚的効果は発揮するものの、顧客の視覚に触れにくい場所に配置された場合は、購買意欲を惹起するための視覚的効果に乏しいことが懸念される。
【０００６】
従って、かかる点に鑑みてなされた本考案の目的は、顧客の興趣を喚起して視覚的効果の向上を図り、商品購買の意欲を惹起する商品陳列装置を提供することにある。
【課題を解決するための手段】
【０００７】
上記課題を解決するための請求項１に記載の考案による商品陳列装置は、起立して支持可能な支持体に同軸上で回転自在に所定間隔隔てて設けられた一対の回転板と、該一対の回転板の間に、回転軸に対して略平行に架設される複数の軸体と、該軸体に揺動自在に係合して吊下される商品収容ケースと、を備えることを特徴とする。
【０００８】
この考案によれば、商品収容ケースが軸体に揺動自在に係合されて軸体に吊下されているので、回転体の回転周の全域において商品収容ケースの吊下状態に変動がなく、商品収容ケースが一定の体勢を保持して移動する。従って、回転体の回転に追従する商品収容ケースの移動によって、顧客に観覧車を想起させる視覚的効果を生じさせるので、顧客の興趣が喚起されて視覚的効果の向上が図られ、商品購買の意欲が惹起される。
【０００９】
請求項２に記載の考案による商品陳列装置は、請求項１に記載の商品陳列装置において、前記一対の回転板は、中央部から外方に向かって複数の突起部が放射状に延在する星型に形成され、前記軸体は、前記一対の回転板の前記突起部の頂点の間に架設され、前記商品収容ケースが前記複数の突起部に放射状に配置されたことを特徴とする。
【００１０】
この考案によれば、回転板が星型に形成されて顧客の視覚に訴えやすい形状を有するので、商品陳列装置の配置場所に影響されることなく、顧客の興趣を喚起せしめて購買意欲を惹起させることができる。従って、請求項１に係る考案を効果的に実現できる。
【００１１】
請求項３に記載の考案による商品陳列装置は、請求項１または２に記載の商品陳列装置において、前記回転体は、モータの駆動で回転されることを特徴とする。
【００１２】
この考案によれば、モータの駆動によって回転体が回転軸線を中心として回転するので、観覧車を想起させる視覚的効果が更に増大されることでより高い顧客の興趣が喚起されるので、商品陳列装置が商品の陳列装置としてばかりではなく、商品の広告宣伝媒体としての作用も発揮することになる。
【００１３】
請求項４に記載の考案による商品陳列装置は、請求項３に記載の商品陳列装置において、障害物を感知して前記モータによる回転駆動を停止させる障害物感知センサを備えることを特徴とする。
【００１４】
この考案によれば、障害物感知センサが障害物を感知するとモータへの電力供給を切断して回転体の回転が停止する。従って、人が商品陳列装置の前に立つと回転体の回転が停止するので、商品収容ケースから商品を容易に取り出すことができるとともに、商品収容ケースへの商品の補充や交換も極めて容易に行うことができる。
【考案の効果】
【００１５】
この考案によると、商品収容ケースが一定の体勢を保持して移動するので、回転体の回転に追従する商品収容ケースの移動によって、顧客に観覧車を想起させる視覚的効果を生じさせる。従って、顧客の興趣が喚起されて視覚的効果の向上が図られ、商品購買の意欲が惹起される。
【図面の簡単な説明】
【００１６】
【図１】本考案の第１実施の形態に係る商品陳列装置の斜視図である。
【図２】同じく、本実施の形態に係る商品陳列装置の正面図である。
【図３】同じく、本実施の形態に係る商品陳列装置の後面図である。
【図４】同じく、本実施の形態に係る商品陳列装置の回転機構部分の概略を説明する図２のＩ−Ｉ線断面図である
【図５】本考案の第２実施の形態に係る商品陳列装置の斜視図である。
【考案を実施するための形態】
【００１７】
（第１実施の形態）
次に、図１〜図４を参照して本考案の第１実施の形態について説明する。なお、本考案の一実施の形態として、コンビニエンスストアの会計カウンタに配置されて、商品としてたばこが陳列された商品陳列装置である場合を例として説明する。
【００１８】
図１は、本実施の形態に係る商品陳列装置１の全体斜視図であり、図２は本実施の形態に係る商品陳列装置１の正面図であり、図３は本実施の形態に係る商品陳列装置１の後面図である。図示のように、商品陳列装置１は、商品陳列装置１を支持する基礎部分となる基台１０を有し、この基台１０の対向する周縁に沿って立設された一対の支持体である第１回転体支持部２０及び第２回転体支持部３０が回転体４０を回転自在に係合して形成される。回転体４０には、商品収容ケースであるゴンドラ５０が揺動自在に軸支される。
【００１９】
基台１０は、底面１１及び上面１２、第１側面１３、第２側面１４、第３側面１５、第４側面１６を有する側壁を有して平面視略矩形に形成され、第１側面１３は上方に傾斜して延在するとともに上面１２に連続形成された傾斜面として形成される。この傾斜面には、陳列する商品であるたばこＴの広告ステッカー１００が貼付される。また、基台１０には後述する図示しない障害物感知センサが内蔵されており、この障害物感知センサの障害物感受レンズ６３が外側に露出して第１側面１３に埋設される。
【００２０】
基台１０の上面１２の第２側面１４側からは第１回転体支持部２０、及び第４側面１６側からは第２回転体支持部３０が立設される。第１回転体支持部２０及び第２回転体支持部３０は、上方凸となる弧状の先端周縁２３、３３を介して第１周縁２１、３１及び第２周縁２２、３２が連続形成された周縁を有し、先端周縁２３、３３から基台１０方向に移行するに従って第１周縁２１、３１及び第２周縁２２、３２が互いに漸次離間する方向に延在して、先端周縁２３、３３に囲まれる第１上面部２４、第２上面部３４及び第１周縁２１、３１と第２周縁２２、３２とに囲まれる第１下面部２５、第２下面部３５を有して板状に形成される。また、第１下面部２５及び第２下面部３５には、上辺及び下辺及び側辺を有する側面視略矩形の窓部２６、３６が開口形成される。
【００２１】
回転体４０は、第１回転板４１及び第１回転板４１と対となる第２回転板４２を備え、第１回転板４１と第２回転板４２との間に複数の軸体４３が架設されて形成される。
【００２２】
第１回転板４１及び第２回転板４２は、図２及び図３で示す回転体４０の中心点Ｐから放射状に延在するとともに頂点となる５つのゴンドラ係合部４４を有し、互いに隣接するゴンドラ係合部４４の間が側面視略Ｌ字状に切り欠かれた５つの突出部４５を備えて側面視略星型形状に一体形成される。軸体４３は、一端に螺子頭部が形成されるとともに他端に螺子切りがなされて形成される。
【００２３】
商品収容ケースであるゴンドラ５０は、底面５１及び側面５２を有して上方が開放された箱状に形成され、対向する一対の側面５２の中央部分から上方に突出して連続形成された一対の回転体係合部５３を有する。回転体係合部５３には軸体４３を挿通する軸挿通孔が形成され、第１回転板４１のゴンドラ係合部４４と第２回転板４２のゴンドラ係合部４４との間に位置決めされて軸体４３が挿入される。そして、軸体４３の他端の螺子切りがなされた部分にナット４３ａを締め付けて軸体４３を固定して、第１回転板４１と第２回転板４２とが連結されるとともにゴンドラ５０が軸体４３に揺動自在に係合される。
【００２４】
次に、商品陳列装置１の回転機構の構造について説明する。
【００２５】
図４は、本実施の形態に係る商品陳列装置１の回転機構部分の概略を説明する図２のＩ−Ｉ線断面図である。図示のように、第１回転体支持部２０と第２回転体支持部３０との間には固定軸６２が架設されて第１回転体支持部２０と第２回転体支持部３０が連結される。第１回転体支持部２０には、回転体４０を回転駆動させるモータ６０を嵌合するボス部２７が形成されて、ピニオンギヤ６１がモータ軸６０ａに取り付けられたモータ６０が嵌合埋設される。このモータ６０は障害物感知センサと接続されており、障害物感受レンズ６３が商品陳列装置１の前に障害物を検知すると、モータ６０への電力供給が切断されて回転が停止する。
【００２６】
第１回転板４１には、回転体４０の回転周の全域でモータ６０を被覆する円筒状で断面略凹状のモータカバー４６が形成され、モータカバー４６の頂面４６ａには固定軸６２が挿通される第１軸受孔４６ｂが開口形成されるとともに、この第１軸受孔４６ｂと同径の内周面を有してモータカバー４６の内方に突出する第１固定軸ガイド４６ｃが円筒状に形成される。第１固定軸ガイド４６ｃの端部４６ｄには回転板ギヤ４６ｅが取り付けられて、モータ６０のピニオンギヤ６１とかみ合って係合する。
【００２７】
第２回転板４２には、固定軸６２が挿通される第２軸受孔４７が開口形成されるとともに、この第２軸受孔４７と同径の内周面を有して第２回転板４２の内方及び外方に突出する第２固定軸ガイド４７ａが円筒状に形成される。
【００２８】
上記構成を有する商品陳列装置１を、コンビニエンスストアの会計カウンタに設置して通電する。モータ６０が回転するとピニオンギヤ６１から回転板ギヤ４６ｅを介して第１回転板４１に駆動力が伝達され、軸体４３を介して第１回転板４１、及び第１回転板４１と連結された第２回転板４２、すなわち回転体４０が固定軸６２を回転中心として回転する。そして、回転体４０が回転すると回転体４０のゴンドラ係合部４４に揺動自在に係合されたゴンドラ５０は、回転体係合部５３が側面５２の中央部分から上方に突出して連続形成されたゴンドラ係合部４４に係合して吊下しているので、回転体４０の回転全域においてたばこＴが載置されたゴンドラ５０の水平状態が保持される。
【００２９】
以上のような構成とすることにより、ゴンドラ５０が軸体４３に揺動自在に係合されて軸体４３に吊下されているので、回転体４０の回転周の全域においてゴンドラ５０の水平位置が保持される。従って、回転体４０の回転に追従するゴンドラ５０の移動によって、顧客に観覧車を想起させる視覚的効果を生じさせるので、顧客の興趣が喚起されて視覚的効果の向上が図られ、商品購買の意欲が惹起される。特に、回転板４０が星型に形成されて顧客の視覚に訴えやすい形状を有するので、商品陳列装置１の配置場所に影響されることなく、顧客の興趣を喚起せしめて購買意欲を惹起させることができる。また、第１下面部２５及び第２下面部３５には、上辺及び下辺及び側辺を有する側面視略矩形の窓部２６、３６が切り欠いて形成されているので、ゴンドラ５０の移動の可視性が図られて、視覚的効果の向上に寄与する。
【００３０】
また、モータ６０の駆動によって回転体４０が回転軸線を中心として回転するので、観覧車を想起させる視覚的効果が更に増大されることでより高い顧客の興趣が喚起され、商品陳列装置１がたばこＴの陳列装置としてばかりではなく、たばこＴの広告宣伝媒体としての作用も発揮することになる。
【００３１】
更に、障害物感知センサの障害物感受レンズ６３が基台１０の側壁の傾斜面に埋設されているので、この面を顧客が商品陳列装置１を見る方向に向けて配置し、顧客が商品陳列装置１の前に立つと障害物感受レンズ６３が顧客を感知して、モータ６０への電力供給を切断して回転が停止する。従って、顧客はゴンドラ５０からたばこＴを容易に取り出すことができるとともに、コンビニエンスストアの従業員によるゴンドラ５０へのたばこＴの補充や交換も、極めて容易に行うことができる。
【００３２】
（第２実施の形態）
次に、図５を参照して本考案の第２実施の形態について説明する。図５は、本実施の形態における商品陳列装置２の全体斜視図である。なお、図５において図１〜４と同様の要素には同一の符号を付し、その詳細な説明を省略する。
【００３３】
図示のように、商品陳列装置２は、第１回転体支持部２０、第２回転体支持部３０と同寸及び同形状で第１回転体支持部２０と重合して所定箇所で螺合される第１装飾面７０、及び第２回転体支持部３０と重合して所定箇所で螺合される第２装飾面８０を備える。なお、第１装飾面７０と第２装飾面８０は同様の構成なので、以下、第１装飾面７０をもとに説明する。
【００３４】
第１装飾面７０の下面７１には、ＬＥＤの発光による電飾７３が、下面７１の外縁７２に平行して複数埋設される。また下面７１には、上辺及び下辺及び側辺を有する側面視略矩形の窓部７４が複数個、切り欠き形成される。更に、第１装飾面７０と第２装飾面８０との間には側面視凹状に形成された張架枠９０が張架枠取付部９１を介して取り付けられている。この張架枠９０の上部には、上方に開放された断面Ｕ字状のフック部９２が形成され、フック部９２にたばこＴの広告パネル１０１が係合保持される。
【００３５】
以上のような構成とすることにより、第１回転体支持部２０及び第２回転体支持部３０に重ね合わせられて取り付けられる第１装飾面７０及び第２装飾面８０を備え、この第１装飾面７０及び第２装飾面８０に電飾７３が埋設されているので、第１実施の形態による効果に加えて、更に、顧客の興趣が喚起されて視覚的効果の向上が図られ、商品購買の意欲が惹起される。特に、電飾７３が点灯することにより、商品陳列装置１の視認性が高まるので、商品陳列装置１の配置場所に影響されることなく、顧客の興趣を喚起せしめて購買意欲を惹起させることができる。また、商品陳列装置２を跨いで広告パネル１０１を設置することで、商品陳列装置２の広告宣伝媒体としての作用を更に発揮せしめる。
【００３６】
なお、本考案は上記実施の形態に限定されることはなく、考案の趣旨を逸脱しない範囲で種々変更可能である。例えば、上記実施の形態ではモータ６０が第１回転板４１に内蔵されている例を説明したが、基台１０にモータ６０を設置するとともに第１回転板４１あるいは第２回転板４２にプーリを設置して、モータ６０のピニオンギヤ６１とプーリとの間にベルト等の伝達部材を巻回させて回転体４０を回転させてもよい。
【００３７】
また、障害物感受レンズ６３が外部に露出して障害物感知センサが基台１０に内蔵されている場合を例として説明したが、商品陳列装置１、２の前に顧客が立ったときに感知できる部分であれば設置箇所を問わない。
【００３８】
更に、第２実施の形態では第１回転体支持部４１、第２回転体支持部４２と同寸同形状の第１装飾板７０、第２装飾板８０を重ね合わせる例を説明したが、これに加えて、電飾が埋設されて第１回転板４１、第２回転板４２に重ね合わせ可能な装飾板を形成して重ね合わせてもよい。
【符号の説明】
【００３９】
１、２    商品陳列装置
１０      基台
２０      第１回転体支持部
３０      第２回転体支持部
４０      回転体
４１      第１回転板
４２      第２回転板
４３      軸体
４４      ゴンドラ係合部
４５      突起部
５０      ゴンドラ
５３      回転体係合部
６０    モータ
６３    障害物感受レンズ
７０    第１装飾板
７３    電飾
８０    第２装飾板
【図１】
0003150872.tif 000003
【図２】
0003150872.tif 000004
【図３】
0003150872.tif 000005
【図４】
0003150872.tif 000006
【図５】
0003150872.tif 000007